(57)【要約】【課題】方向指示具の単独操作に基づく指示灯の点滅動作及びハザード指示具の単独操作に基づく指示灯の点滅動作を行え、且つ、方向指示具による点滅動作の優先或いは、ハザード指示具による点滅動作の優先も行うことができるようにする。【解決手段】一対の指示灯２３Ｌ、２３Ｒを少なくとも点滅させるための点滅信号を発生する信号発生部２１と、方向指示具２８Ｌ、２８Ｒの操作に基づく指示灯２３Ｌ、２３Ｒの点滅動作と、ハザード指示具２７の操作に基づく指示灯２３Ｌ、２３Ｒの点滅動作とのいずれかを優先させる優先設定部２２とを備え、信号発生部２１と一対の指示灯２３Ｌ、２３Ｒとのそれぞれの間には、優先設定部２２からの制御信号に基づいてオン又はオフする切替部２４Ｌ、２４Ｒが接続されていることを特徴とする作業機用指示装置。【選択図】図１
2015189358.tif 000002
【特許請求の範囲】
【請求項１】
一対の指示灯を少なくとも点滅させるための点滅信号を発生する信号発生部と、
方向指示具の操作に基づく前記指示灯の点滅動作と、ハザード指示具の操作に基づく前記指示灯の点滅動作とのいずれかを優先させる優先設定部とを備え、
前記信号発生部と前記一対の指示灯とのそれぞれの間には、前記優先設定部からの制御信号に基づいてオン又はオフする切替部が接続されていることを特徴とする作業機用指示装置。
【請求項２】
前記優先設定部は、前記ハザード指示具の操作に基づく指示灯の点滅動作を、前記方向指示具の操作に基づく指示灯の点滅動作よりも優先するハザード優先設定部であって、
前記ハザード優先設定部は、前記ハザード指示具の操作が行われた際に、前記一対の切替部をオンする制御信号を出力することを特徴とする請求項１に記載の作業機用指示装置。
【請求項３】
前記優先設定部は、前記方向指示具の操作に基づく指示灯の点滅動作を、前記ハザード指示具の操作に基づく指示灯の点滅動作よりも優先するウインカ優先設定部であって、
前記ウインカ優先設定部は、前記方向指示具の操作が行われた際に、前記一対の切替部のうち、前記方向指示具の操作に対応する指示灯に接続された切替部をオンする制御信号を出力することを特徴とする請求項１に記載の作業機用指示装置。
【請求項４】
前記信号発生部は、前記指示灯の断線を検出する断線検出部を備え、当該信号発生部は、前記断線検出部により断線を検出した際には、断線時に指示灯を点滅させる間隔を、非断線時に指示灯を点滅させる間隔とは異ならせることを特徴とする請求項１〜３のいずれかに記載の作業機用指示装置。
【請求項５】
請求項１〜４のいずれかの作業機用指示装置を備えた作業機であって、
前記信号発生部、優先設定部及び一対の切替部は、ハーネスにより接続されており、前記ハーネスは、前記優先設定部がハザード優先設定部である場合に接続する第１接続部と、前記優先設定部がウインカ優先設定部である場合に接続する第２接続部とを備えていることを特徴とする作業機。
【発明の詳細な説明】
【技術分野】
【０００１】
本発明は、方向指示具の操作に基づいて指示灯を点滅させると共に、ハザード指示具の操作に基づいて指示灯を点滅させる作業機用指示装置及び作業機用指示装置を備えた作業機に関するものである。
【背景技術】
【０００２】
従来、ホイルローダ、スキッドステアローダ、コンパクトトラックローダ等の作業機には、点滅により方向指示を行ったり、ハザード点灯を行う指示灯が設けられている。この指示灯は、方向指示具の操作やハザード指示具の操作によって点滅を行うが、方向指示具とハザード指示具との両方を操作することがあるため、作業機には、方向指示を優先するか或いはハザードを優先するかという優先回路が設けられている。優先回路の技術として特許文献１に示すものがある。
【０００３】
この特許文献１の作業車のウィンカ回路構造では、車体の左右両側に配設したターンシグナルランプと、自動点滅駆動回路に接続されたハザードスイッチ及びウィンカスイッチとの間に、ハザードスイッチの操作がウィンカスイッチに優先するハザード優先回路と、ウィンンカスイッチの操作が前記ハザードスイッチに優先するウインカ優先回路を選択的に接続できるように構成している。
【先行技術文献】
【特許文献】
【０００４】
【特許文献１】特開平０７−２２３４８５号公報
【発明の概要】
【発明が解決しようとする課題】
【０００５】
特許文献１では、自動点滅駆動回路から出力された信号をハザード優先回路及びウインカ優先回路に入力していたため、各回路による優先動作は可能であるものの、例えば、ハザードスイッチの操作に独立してウィンカを点滅させるためには、優先回路とは別に別途点滅用の回路が必要であった。
そこで、本発明は、前記問題点に鑑み、方向指示具の単独操作に基づく指示灯の点滅動作及びハザード指示具の単独操作に基づく指示灯の点滅動作を行え、且つ、方向指示具による点滅動作の優先或いは、ハザード指示具による点滅動作の優先も行うことができる作業機用指示装置及び作業機用指示装置を備えた作業機を提供することを目的とする。
【課題を解決するための手段】
【０００６】
前記技術的課題を解決するために本発明が講じた技術的手段は、以下に示す点を特徴とする。
請求項１に係る発明は、一対の指示灯を少なくとも点滅させるための点滅信号を発生する信号発生部と、方向指示具の操作に基づく前記指示灯の点滅動作と、ハザード指示具の操作に基づく前記指示灯の点滅動作とのいずれかを優先させる優先設定部とを備え、前記信号発生部と前記一対の指示灯とのそれぞれの間には、前記優先設定部からの制御信号に基づいてオン又はオフする切替部が接続されていることを特徴とする。
【０００７】
請求項２に係る発明は、前記優先設定部は、前記ハザード指示具の操作に基づく指示灯の点滅動作を、前記方向指示具の操作に基づく指示灯の点滅動作よりも優先するハザード優先設定部であって、前記ハザード優先設定部は、前記ハザード指示具の操作が行われた際に、前記一対の切替部をオンする制御信号を出力することを特徴とする。
請求項３に係る発明は、前記優先設定部は、前記方向指示具の操作に基づく指示灯の点滅動作を、前記ハザード指示具の操作に基づく指示灯の点滅動作よりも優先するウインカ優先設定部であって、前記ウインカ優先設定部は、前記方向指示具の操作が行われた際に、前記一対の切替部のうち、前記方向指示具の操作に対応する指示灯に接続された切替部をオンする制御信号を出力することを特徴とする。
【０００８】
請求項４に係る発明は、前記信号発生部は、前記指示灯の断線を検出する断線検出部を備え、当該信号発生部は、前記断線検出部により断線を検出した際には、前記指示灯を点
滅させる間隔を、方向指示具又はハザード指示具の操作による点滅の間隔とは異ならせることを特徴とする。
請求項５に係る発明は、作業機用指示装置を備えた作業機であって、前記信号発生部、優先設定部及び一対の切替部は、ハーネスにより接続されており、前記ハーネスは、前記優先設定部がハザード優先設定部である場合に接続する第１接続部と、前記優先設定部がウインカ優先設定部である場合に接続する第２接続部とを備えていることを特徴とする。
【発明の効果】
【０００９】
本発明によれば、以下の効果を奏する。
請求項１に係る発明によれば、信号発生部と一対の指示灯とのそれぞれの間には、優先設定部からの制御信号に基づいてオン又はオフする切替部が設けられている。それゆえ、一対の切替部のいずれかを方向指示具に応じてオンすることによって、方向指示具の操作に基づく指示灯の点滅動作（ウインカ点滅）を行うことができる。また、一対の切替部の両方をハザード指示具に応じてオンすることにより、ハザード指示具の操作に基づく指示灯の点滅動作（ハザード点滅）を行うことができる。しかも、ウインカ点滅をハザード点滅よりも優先するという「ウインカ優先」と、ハザード点滅をウインカ点滅よりも優先するという「ハザード優先」も行うことができる。つまり、ウインカ優先やハザード優先だけでなく、通常行うウインカ点滅やハザード点滅も行うことができる。
【００１０】
請求項２に係る発明によれば、一対の切替部をオンする制御信号を出力することによって、ハザード優先を行うことができる。
請求項３に係る発明によれば、一対の切替部のうち、方向指示具に対応する指示灯に接続された切替部をオンすることにより、ウインカ優先を行うことができる。
請求項４に係る発明によれば、「ウインカ優先」或いは「ハザード優先」による指示灯の点滅に加えて、指示灯の断線を検出した場合には、外部に指示灯が断線したことをお知らせすることができる。
【００１１】
請求項５に係る発明によれば、作業機の向け先（出荷先）に応じて、ハザード優先設定部、或いは、ウインカ優先設定部をハーネスに選択的に接続することができる。即ち、ハザード優先設定部の専用のハーネスやウインカ優先設定部の専用のハーネスを必要としないため、製造コストを低減することができると共に、両者を簡単に接続することができる。
【図面の簡単な説明】
【００１２】
【図１】第１実施形態における作業機用指示装置の構成図である。
【図２】信号発生部、ハザード優先設定部及びウインカ優先設定部をハーネスに接続する接続図である。
【図３】第２実施形態における作業機用指示装置の構成図である。
【図４】ホイールローダの全体側面図である。
【発明を実施するための形態】
【００１３】
以下、本発明の実施の形態を図面を参照して説明する。
図４は、本発明の作業機用指示装置を搭載したホイルローダの全体を示している。
まず、作業機として、ホイルローダを例にあげ説明する。なお、作業機は、ホイルローダに限定されず、スキッドステアローダ（ＳＳＬ）、コンパクトトラックローダ（ＣＴＬ）であっても、その他の作業機であってもよい。
【００１４】
図４に示すように、ホイールローダ１はアーティキュレート式の作業機であり、走行機体１Ａと、作業装置１Ｂ（フロント作業装置）とが設けられている。走行機体１Ａは、前部機体２と後部機体３とから構成されている。前部機体２には左右一対の前輪５が設けられ、後部機体３には左右一対の後輪６が設けられている。
後部機体３の前端側には連結部材４が前後方向の軸心回りに所定範囲回転自在に設けられ、この連結部材４に前部機体２の後端側が上下方向の軸心回りに左右揺動自在に連結されている。
【００１５】
連結部材４と前部機体２とにわたって油圧シリンダからなるステアリングシリンダ７が設けられ、このステアリングシリンダ７を伸縮させることにより、後部機体３に対して前
部機体２が左右に揺動してホイールローダ１が左右に旋回可能とされている。
作業装置１Ｂは、左右一対のリフトアーム９とバケット１０とを有する。左右のリフトアーム９は、その基端側が前部機体２に設けた支持フレーム１１に左右方向の軸心回りに回転自在に支持されていて、上下揺動可能とされている。バケット１０は、左右リフトアーム９の先端側に左右方向の軸心回りに揺動自在に枢支連結されている。左右リフトアーム９はリフトシリンダ１２によって駆動され、バケット１０はバケットシリンダ１３によって駆動される。これらリフトシリンダ１２及びバケットシリンダ１３は油圧シリンダによって構成されている。また、バケット１０は着脱自在に設けられていて、バケット１０の代わりに、スイーパー、モアー、ブレーカ等のアタッチメントをリフトアーム９の先端側に取り付け可能とされている。
【００１６】
後部機体３には、運転席１４と、運転席保護装置としての４柱式のキャノピ１５と、前記ステアリングシリンダ７を操作するステアリングホイール１６と、作業装置１Ｂを操作する作業装置用操作レバー１７と、エンジン１８（ディーゼルエンジン）とが設けられている。
なお、ホイールローダ１には、エンジン１８の動力により作動する油圧ポンプが設けられている。油圧ポンプは、ホイールローダ１に装備された油圧アクチュエータ（ステアリングシリンダ７、リフトシリンダ１２、バケットシリンダ１３等）やバケット１０の代わりに装着されるアタッチメントの油圧アクチュエータに作動油を供給し、これにより油圧アクチュエータを作動させる。また、ホイールローダ１には、ＨＳＴ（静油圧式トランスミッション）が備えられ、ＨＳＴからの動力によって、前輪５及び後輪６が駆動するようになっている。
【００１７】
図１は、ホイールローダ１に装着された作業機用指示装置を示している。
図１に示すように、作業機用指示装置２０は、ホイルローダ１の走行車体１Ａ等に装着された左右一対の指示灯２３Ｌ、２３Ｒの点滅などを制御する装置である。なお、ホイルローダ１等の作業機には、前部に左右一対の指示灯２３Ｌ、２３Ｒを設け、後部に左右一対の指示灯２３Ｌ、２３Ｒを設けるが、この実施形態では、前部及び後部の指示灯２３Ｌ、２３Ｒが同時に作動するものとして説明を続ける。
【００１８】
作業機用指示装置２０は、信号発生部２１と、優先設定部２２とを備えている。
信号発生部２１は、指示灯２３Ｌ、２３Ｒを点滅させるための点滅信号、例えば、パルス信号を発生するもので、電気電子回路等で構成されている。この信号発生部２１の出力端子は、左側の指示灯２３Ｌに点滅信号を出力する左出力端子２１Ｌと、右側の指示灯２３Ｒに点滅信号を出力する右出力端子２１Ｒとを備えている。
【００１９】
信号発生部２１には、２つの切替部２４Ｌ、２４Ｒが接続されている。各切替部２４Ｌ、２４Ｒは、オン又はオフするスイッチ２５と、このスイッチ２５を作動させるコイル２６とを備えたリレー装置で構成されている。
詳しくは、信号発生部２１の左出力端子２１Ｌには、第１の切替部２４Ｌ（以降、第１切替部という）のスイッチ２５の一端が接続され、信号発生部２１の右出力端子２１Ｒには、第２の切替部２４Ｒ（以降、第２切替部という）のスイッチ２５の一端が接続されている。また、第１切替部２４Ｌのスイッチ２５の他端には、指示灯２３Ｌが接続され、第２切替部２４Ｒのスイッチ２５の他端には、指示灯２３Ｒが接続されている。
【００２０】
したがって、第１切替部２４Ｌのスイッチ２５がオンとなっている場合は、信号発生部２１から出力した点滅信号によって指示灯２３Ｌが点滅する。第２切替部２４Ｒのスイッチ２５がオンとなっている場合は、信号発生部２１から出力した点滅信号によって指示灯２３Ｒが点滅する。
優先設定部２２には、左右或いは上下に揺動自在な方向指示具２８Ｌ、２８Ｒ、即ち、ウインカ指示器が接続されている。また、優先設定部２２には、例えば、プッシュ型等のスイッチで構成されたハザード指示具２７とが接続されている。優先設定部２２は、方向指示具２８Ｌ、２８Ｒの操作による指示灯２３Ｌ、２３Ｒの点滅動作と、ハザード指示具２７の操作による指示灯２３Ｌ、２３Ｒの点滅動作とのいずれかを優先させるもので、電気電子回路等で構成されている。
【００２１】
優先設定部２２は、ハザード優先設定部、或いは、ウインカ優先設定部である。
まず、優先設定部２２がハザード優先設定部である場合での構成及び動作について説明する。
ハザード優先設定部は、ハザード指示具２７の操作に基づく指示灯２３Ｌ、２３Ｒの点滅動作を、方向指示具２８Ｌ、２８Ｒの操作に基づく指示灯２３Ｌ、２３Ｒの点滅動作よりも優先するものである。
【００２２】
詳しくは、ハザード優先設定部は、ハザード指示具２７のみから操作信号（オン操作信号）が入力された場合（ハザード指示具２７の単独操作の場合）は、第１切替部２４Ｌ及び第２切替部２４Ｒの両者のコイル２６を励磁してスイッチ２５をオンする制御信号（第１切替部２４Ｌ及び第２切替部２４Ｒをオンする制御信号）を出力し、指示灯２３Ｌ、２３Ｒを信号発生部２１の点滅信号により点滅させる。
【００２３】
また、ハザード優先設定部は、方向指示具２８Ｌ、２８Ｒのみから操作信号（オン操作信号）が入力された場合（方向指示具２８Ｌ、２８Ｒの単独操作の場合）は、方向指示具２８Ｌ、２８Ｒの操作に応じて、第１切替部２４Ｌ又は第２切替部２４Ｒをオンする制御信号を出力し、指示灯２３Ｌ、２３Ｒのいずれかを信号発生部２１の点滅信号により点滅させる。例えば、方向指示具２８Ｌが操作された操作信号が入力された場合は、方向指示具２８Ｌに対応する第１切替部２４Ｌのコイル２６に、当該第１切替部２４Ｌをオンする制御信号を出力する。また、方向指示具２８Ｒが操作された操作信号が入力された場合は、方向指示具２８Ｒに対応する第２切替部２４Ｒのコイル２６に、当該第２切替部２４Ｒをオンする制御信号を出力する。
【００２４】
即ち、ハザード優先設定部は、ハザード指示具２７と、方向指示具２８Ｌ、２８Ｒとの操作が重ならない場合には、それぞれの操作に応じた制御信号を第１切替部２４Ｌ又は第２切替部２４Ｒに出力する。
さて、ハザード優先設定部は、ハザード指示具２７の操作信号が入力されている状況で、方向指示具２８Ｌ、２８Ｒから操作信号が入力された場合は、方向指示具２８Ｌ、２８Ｒの操作信号に基づく制御は行わず、ハザード指示具２７の操作信号を優先して、第１切替部２４Ｌ及び第２切替部２４Ｒをオンする制御信号の出力を継続する。即ち、ハザード優先設定部は、ハザード指示具２７が操作された状況では、方向指示具２８Ｌや方向指示具２８Ｒが操作されたとしても、方向指示具２８Ｌ、２８Ｒの操作に基づいた制御信号の出力は行わない。
【００２５】
また、ハザード優先設定部は、方向指示具２８Ｌ、２８Ｒの操作信号が入力されている状況で、ハザード指示具２７の操作信号が入力された場合は、方向指示具２８Ｌ、２８Ｒの操作信号に基づく制御信号の出力は停止し、ハザード指示具２７の操作信号を優先して、第１切替部２４Ｌ及び第２切替部２４Ｒをオンする制御信号を出力する。即ち、ハザード優先設定部は、方向指示具２８Ｌや方向指示具２８Ｒが操作された状況で、ハザード指示具２７が操作された場合は、ハザード指示具２７の操作に基づいた制御信号の出力を行う。
【００２６】
以上のように、優先設定部２２がハザード優先設定部である場合には、ハザード指示具２７及び方向指示具２８Ｌ、２８Ｒが単独で操作されている状況下では、これらの指示具に応じた制御を行う。また、方向指示具２８Ｌ、２８Ｒが操作されている状況下でハザード指示具２７が操作された場合には、ハザード点滅を優先させる。
次に、優先設定部２２がウインカ優先設定部の場合について説明する。
【００２７】
ウインカ優先設定部は、方向指示具２８Ｌ、２８Ｒの操作に基づく指示灯２３Ｌ、２３Ｒの点滅動作を、ハザード指示具２７の操作に基づく指示灯２３Ｌ、２３Ｒの点滅動作よりも優先するものである。
詳しくは、ウインカ優先設定部は、方向指示具２８Ｌ、２８Ｒのみから操作信号（オン操作信号）が入力された場合は、方向指示具２８Ｌ、２８Ｒの操作に応じて、第１切替部２４Ｌ又は第２切替部２４Ｒをオンする制御信号を出力し、指示灯２３Ｌ、２３Ｒのいずれかを信号発生部２１の点滅信号により点滅させる。例えば、方向指示具２８Ｌが操作された操作信号が入力された場合は、第１切替部２４Ｌをオンする制御信号を出力する。ま
た、方向指示具２８Ｒが操作された操作信号が入力された場合は、第２切替部２４Ｒをオンする制御信号を出力する。
【００２８】
また、ウインカ優先設定部は、ハザード指示具２７のみから操作信号（オン操作信号）が入力された場合は、第１切替部２４Ｌ及び第２切替部２４Ｒの両者のコイル２６を励磁する制御信号（第１切替部２４Ｌ及び第２切替部２４Ｒをオンする制御信号）を出力し、指示灯２３Ｌ、２３Ｒを信号発生部２１の点滅信号により点滅させる。
さて、ウインカ優先設定部は、方向指示具２８Ｌ、２８Ｒの操作信号が入力されている状況で、ハザード指示具２７から操作信号が入力された場合は、ハザード指示具２７の操作信号による制御は行わず、方向指示具２８Ｌ、２８Ｒの操作信号を優先して、第１切替部２４Ｌ又は第２切替部２４Ｒをオンする制御信号の出力を継続する。即ち、ウインカ優先設定部は、方向指示具２８Ｌ、２８Ｒが操作されている状況では、ハザード指示具２７が操作されたとしても当該ハザード指示具２７の操作に基づく制御信号の出力は行わない。
【００２９】
また、ウインカ優先設定部は、ハザード指示具２７の操作信号が入力されている状況で、方向指示具２８Ｌ、２８Ｒから操作信号が入力された場合は、ハザード指示具２７の操作信号の出力は停止し、方向指示具２８Ｌ、２８Ｒの操作信号を優先して、第１切替部２４Ｌ又は第２切替部２４Ｒをオンする制御信号を出力する。即ち、ウインカ優先設定部は、ハザード指示具２７が選択された状況下で、方向指示具２８Ｌや方向指示具２８Ｒが操作された場合は、当該方向指示具２８Ｌや方向指示具２８Ｒの操作に基づいた制御信号の出力を行う。
【００３０】
このように、優先設定部２２がウインカ優先設定部である場合には、ハザード指示具２７及び方向指示具２８Ｌ、２８Ｒが単独で操作されている状況下では、これらの指示具に応じた制御を行う。また、ハザード指示具２７が操作されている状況下で方向指示具２８Ｌ、２８Ｒが操作された場合は、ウインカ点滅を優先させる。
上述した信号発生部２１は、ウインカ点滅やハザード点滅を行うために点滅信号を出力するものであるが、これに加え、指示灯２３Ｌ、２３Ｒの断線、即ち、玉切れを検出する断線検出部３０を備えていてもよい。断線検出部３０は、例えば、指示灯２３Ｌ、２３Ｒに流れる電流を監視して、電流が所定値以下になったとき、断線と判定する。断線検出部３０で断線を検出した場合には、信号発生部２１は、点滅信号（パルス信号）のオンの間隔を、断線が発生していないときよりも短くする。これにより、断線後における方向指示具２８Ｌ、２８Ｒ又はハザード指示具２７の操作による点滅の間隔は、断線前における方向指示具２８Ｌ、２８Ｒ又はハザード指示具２７の操作による点滅の間隔よりも短くなるため、方向指示具２８Ｌ、２８Ｒ又はハザード指示具２７による点滅を許容しつつも、点滅の間隔から指示灯２３Ｌ、２３Ｒが断線していることを把握することができる。なお、上述した実施形態では、断線時の点滅信号（パルス信号）のオンの間隔を、断線が発生していないときよりも短くしていたが、これに代え、断線が発生していないときよりも長くしてもよい。即ち、断線時に指示灯２３Ｌ、２３Ｒを点滅させる間隔を、非断線時に指示灯２３Ｌ、２３Ｒを点滅させる間隔とは異なるようにすればよい。
【００３１】
図２は、信号発生部、ハザード優先設定部、ウインカ優先設定部、切替部等をハーネスで接続した場合の接続図である。この接続図においては、説明の便宜上、ハザード優先設定部を「２２Ａ」、ウインカ優先設定部を「２２Ｂ」と表記する。また、ハーネスの部分は、太線で示すこととする。
図２に示すように、ハーネスＨには、信号発生部２１と、ハザード優先設定部２２Ａ、ウインカ優先設定部２２Ｂと、第１切替部２４Ｌ及び第２切替部２４Ｒを有する切替部２４とを接続可能である。
【００３２】
詳しくは、信号発生部２１の左出力端子２１Ｌ及び右出力端子２１Ｒは、コネクタＡを介してハーネスＨに接続されている。また、ハザード優先設定部２２Ａの入力側端子Ｐ１、Ｐ２、Ｐ３及び出力端子Ｏ1、Ｏ２は、コネクタＢを介してハーネスＨに接続可能である。ウインカ優先設定部２２Ｂの入力側端子Ｐ４、Ｐ５、Ｐ６及び出力端子Ｏ３、Ｏ４は、コネクタＣを介してハーネスＨに接続可能である。切替部２４の入力端子Ｐ１０、Ｐ１
１、Ｐ１２、Ｐ１３及び出力端子Ｏ１０、Ｏ１１、Ｏ１２、Ｏ１３は、コネクタＤを介してハーネスＨに接続可能である。
【００３３】
このように、ハーネスＨは、ハザード優先設定部２２Ａ及びウインカ優先設定部２２Ｂを装着可能な共通ハーネスとなっている。即ち、ハーネスＨは、信号発生部２１、優先設定部２２、一対の切替部２４Ｌ、２４Ｒを接続可能であって、ハザード優先設定部２２Ａを接続する第１接続部（コネクタＢ）と、ウインカ優先設定部２２Ｂを接続する第２接続部（コネクタＣ）とを備えている。
【００３４】
したがって、作業機（ホイールローダ）の出荷先に応じて、ハザード優先設定部２２Ａ及びウインカ優先設定部２２Ｂのいずれかを作業機（ホイルローダ）に組み込むことができる。例えば、欧州及び日本では「ハザード優先」とされ、北米では「ウィンカ優先」とされているため、それぞれの向け先に応じて、ハザード優先設定部２２Ａ及びウインカ優先設定部２２ＢのいずれかをハーネスＨに接続すれば、それぞれの国に対応した点滅を実施することができる。
【００３５】
即ち、ハザード優先設定部２２Ａとウインカ優先設定部２２ＢとのいずれかをハーネスＨに接続すれば出荷先に対応することができるため、ハザード優先設定部２２Ａの専用のハーネスやウインカ優先設定部２２Ｂの専用のハーネスを必要としないため、製造コストを低減することができると共に、両者を簡単に接続することができる。なお、このハーネスＨには、ハザード優先設定部２２Ａ及びウインカ優先設定部２２Ｂを接続することができるため、ハザード優先設定部２２ＡとハーネスＨの第１接続部（コネクタＢ）との間の経路、ウインカ優先設定部２２ＢとハーネスＨの第２接続部（コネクタＣ）との間の経路に、電流等の回りこみを防止するダイオードを設けている。
［第２実施形態］
第２実施形態は、作業機用指示装置２０の変形例を示したものである。図３に示すように、作業機用指示装置２０は、信号発生部２１と、優先設定部２２とを備えている。第１実施形態と異なる構成について説明する。
【００３６】
優先設定部２２には、一対の切替部２４Ｌ、２４Ｒの他に、一対の切替部３１Ｌ、３１Ｒが接続されている。各切替部３１Ｌ、３１Ｒは、オン又はオフするスイッチ３２と、このスイッチ３２を作動させるコイル３３とを備えたリレー装置で構成されている。詳しくは、優先設定部２２には、第３の切替部３１Ｌ（以降、第３切替部という）のコイル３３の一端が接続され、第４の切替部３１Ｒ（以降、第４切替部という）のコイル３３の一端が接続されている。また、第３切替部３１Ｌのスイッチ３２の一端にはバッテリー等の電源が接続され、当該スイッチ３２の他端には指示灯２３Ｌが接続されている。また、第４切替部３１Ｒのスイッチ３２の一端にはバッテリー等の電源が接続され、当該スイッチ３２の他端には指示灯２３Ｒが接続されている。
【００３７】
したがって、第３切替部３１Ｌのスイッチ３２がオンとなっている場合は、電源から供給された電力によって指示灯２３Ｌが点灯する。第４切替部３１Ｒのスイッチ３２がオンとなっている場合は、電源から供給された電力によって指示灯２３Ｒが点滅する。即ち、第３切替部３１Ｌ及び第４切替部３１Ｒは、指示灯２３Ｌ、２３Ｒを点灯等を行うものである。
【００３８】
優先設定部２２は、ハザード優先設定部、或いは、ウインカ優先設定部である。ハザード優先設定部の場合は、当該ハザード優先設定部の動作は、第１実施形態と同様である。
ウインカ優先設定部の場合、方向指示具２８Ｌ、２８Ｒを単独操作したときの動作、或いは、ハザード指示具２７を単独操作したときの動作は、第１実施形態と同じである。
ここで、方向指示具２８Ｌ、２８Ｒと、ハザード指示具２７との両方を操作した場合は、ウインカ優先設定部の動作は、第１実施形態と異なる。以下、第１実施形態と異なる構成について説明する。
【００３９】
詳しくは、ウインカ優先設定部は、方向指示具２８Ｌ、２８Ｒの操作信号が入力されている状況で、ハザード指示具２７から操作信号が入力された場合は、第１切替部２４Ｌ又は第２切替部２４Ｒにオンする制御信号の出力を継続し、指示灯２３Ｌ、２３Ｒを点滅させる。これに加え、ウインカ優先設定部は、一対の指示灯２３Ｌ、２３Ｒのうち、点滅し
ていない側の指示灯を点灯させる。
【００４０】
例えば、方向指示具２８Ｌの操作に応じて指示灯２３Ｌが点滅している場合、第４切替部３１Ｒに、当該第４切替部３１Ｒをオンする制御信号をコイル３３に出力することにより、指示灯２３Ｌとは反対側の指示灯２３Ｒを点灯させる。一方、方向指示具２８Ｒの操作に応じて指示灯２３Ｒが点滅している場合、第３切替部３１Ｌに、当該第３切替部３１Ｌをオンする制御信号をコイル３３に出力することにより、指示灯２３Ｒとは反対側の指示灯２３Ｌを点灯させる。
【００４１】
また、ウインカ優先設定部は、ハザード指示具２７の操作信号が入力されている状況で、方向指示具２８Ｌ、２８Ｒから操作信号が入力された場合は、ハザード指示具２７の操作信号の出力は停止し、第１切替部２４Ｌ又は第２切替部２４Ｒをオンする制御信号を出力する。これに加え、ウインカ優先設定部は、上述した方法で、点滅していない側の指示灯を点灯させる。
【００４２】
このように、優先設定部２２がウインカ優先設定部である場合には、ハザード指示具２７及び方向指示具２８Ｌ、２８Ｒが単独で操作されている状況下では、これらの指示具に応じた制御を行う。また、ハザード指示具２７が操作されている状況下で方向指示具２８Ｌ、２８Ｒが操作された場合は、ウインカ点滅を優先させると共に、ウインカ点滅をしている指示灯２３Ｌ、２３Ｒとは反対側の指示灯２３Ｌ、２３Ｒを点灯させる。
【００４３】
なお、上述した実施形態では、ウインカ点滅を優先させる際に、点滅している指示灯２３Ｌ、２３Ｒとは反対側の指示灯２３Ｌ、２３Ｒを点灯させているが、これに加え、点滅をしている指示灯２３Ｌ、２３Ｒの点滅間隔を短くすることが望ましい。
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００４４】
上述した実施形態では、信号発生部２１の一部に断線検出部３０を設けていたが、これに代え、点滅信号を発生する信号発生部２１を有する断線検出部３０を作業機用指示装置に設けるようにしてもよい。この場合、第１切替部２４Ｌのコイル２６を断線検出部３０に接続すると共に、第２切替部２４Ｒのコイル２６を断線検出部３０に接続すればよい。
【符号の説明】
【００４５】
１    ホイールローダ
１Ａ  走行機体
１Ｂ  作業装置
２    前部機体
３    後部機体
４    連結部材
５    前輪
６    後輪
７    ステアリングシリンダ
８    作業装置
９    リフトアーム
１０  バケット
１１  支持フレーム
１２  リフトシリンダ
１３  バケットシリンダ
１４  運転席
１５  キャノピ
１６  ステアリングホイール
１７  作業装置用操作レバー
１８  エンジン
２０  作業機用指示装置
２１  信号発生部
２１Ｌ  左出力端子
２１Ｒ  右出力端子
２２  優先設定部
２２Ａ  ハザード優先設定部
２２Ｂ  ウインカ優先設定部
２３Ｌ  指示灯
２３Ｒ  指示灯
２４  切替部
２４Ｌ  切替部（第1切替部）
２４Ｒ  切替部（第２切替部）
２５  スイッチ
２６  コイル
２７  ハザード指示具
２８Ｌ  方向指示具
２８Ｒ  方向指示具
３０  断線検出部
Ｈ    ハーネス
【図１】
2015189358.tif 000003
【図２】
2015189358.tif 000004
【図３】
2015189358.tif 000005
【図４】
2015189358.tif 000006